(57)【要約】【課題】デザインの向上を図ることができると共に、比較的大きな強度を保ちつつ、高さ調整の範囲を大きくすることができる技術を提供することにある。【解決手段】エアコン室外機を載置支持する水平部材２０と水平部材２０を高さ調整自在に支持する支柱４０とを備える。支柱４０は、外側支柱４２と、この外側支柱４２内にスライド自在に挿入される内側支柱５０とを備える。内側支柱５０にナット５９をスライド自在に収容叔父する保持スライド溝部５４が形成され、外側支柱４２にボルト５８を挿通自在なボルト挿通孔４２ｈが形成される。ボルト５８を、ボルト挿通孔４２ｈ内に通して、保持スライド溝部５４内のナット５９に螺合締結させることで、両者間で、内側支柱５０の一部と外側支柱４２の一部とを挟込んで、所定の高さ位置でそれらのスライド移動を規制する。【選択図】図１
2005299963.tif 000002
【特許請求の範囲】
【請求項１】
エアコン室外機を載置するためのエアコン用置き台（１０）であって、
水平部材（２０）と、
前記水平部材（２０）を高さ調整自在に支持する支柱部材（４０）と、を備え、
前記支柱部材（４０）は、
筒状支柱部材（４２）と、
前記筒状支柱部材（４２）内にスライド自在に挿入された挿入支柱部材（５０）と、
前記筒状支柱部材（４２）の一部と前記挿入支柱部材（５０）の一部とを挟込んで、前記筒状支柱部材（４２）に対する前記挿入支持部材（５０）のスライド移動を規制する一対の挟持部材（５８，５９）と、を有し、
前記筒状支柱部材（４２）と前記挿入支柱部材（５０）の一方に、一方側の前記挟持部材（５８，５９）を前記筒状支柱部材（４２）と前記挿入支持部材（５０）との相対的な移動方向に沿って移動自在に保持する保持スライド溝部（５４）が形成された、エアコン用置き台（１０）。
【請求項２】
請求項１記載のエアコン用置き台（１０）であって、
前記一対の挟持部材（５８，５８）は、前記挿入支柱部材（５０）の外周部の一部を、前記筒状支柱部材（４２）の内周面の一部に押付けるようにして挟持する、エアコン用置き台（１０）。
【請求項３】
請求項１又は請求項２記載のエアコン用置き台（１０）であって、
前記一対の挟持部材（５８，５９）が、前記水平部材（２０）と前記支柱部材（４０）との組立て形態における前記支柱部材（４０）の内向きとなる面側に設けられている、エアコン用置き台（１０）。
【発明の詳細な説明】
【技術分野】
【０００１】
本発明は、エアコンの室外機を載置するためのエアコン用置き台に関する。
【背景技術】
【０００２】
エアコン用置き台の高さ調整を行うための技術として、支柱の脚部にボルト式のアジャスタを設け、このボルトのねじ込み量によって高さ調整を行うものがある。
【０００３】
なお、本願発明に関連する先行技術としては、例えば特許文献１に記載のものがある。
【０００４】
【特許文献１】実開平７−３５９２３号公報
【発明の開示】
【発明が解決しようとする課題】
【０００５】
しかしながら、上記のように、ボルト式のアジャスタのねじ込み量によって高さ調整を行う技術では、支柱の脚部側に、その支柱よりも細いボルトが見えてしまうため、デザイン性に劣る。
【０００６】
また、調整範囲を大きくするためには、比較的細いボルト部分を長くする必要があり、強度が弱くなってしまう。このため、比較的大きな強度を保ちつつ、高さ調整の範囲を大きくすることは難しい。
【０００７】
そこで、この発明の課題は、デザインの向上を図ることができると共に、比較的大きな強度を保ちつつ、高さ調整の範囲を大きくすることができる技術を提供することにある。
【課題を解決するための手段】
【０００８】
上記課題を解決すべく、この発明は、エアコン室外機を載置するためのエアコン用置き台であって、水平部材と、前記水平部材を高さ調整自在に支持する支柱部材とを備え、前記支柱部材は、筒状支柱部材と、前記筒状支柱部材内にスライド自在に挿入された挿入支柱部材と、前記筒状支柱部材の一部と前記挿入支柱部材の一部とを挟込んで、前記筒状支柱部材に対する前記挿入支持部材のスライド移動を規制する一対の挟持部材とを有し、前記筒状支柱部材と前記挿入支柱部材の一方に、一方側の前記挟持部材を前記筒状支柱部材と前記挿入支持部材との相対的な移動方向に沿って移動自在に保持する保持スライド溝部が形成されたものである。
【０００９】
この場合に、前記一対の挟持部材は、前記挿入支柱部材の外周部の一部を、前記筒状支柱部材の内周面の一部に押付けるようにして挟持するとよい。
【００１０】
また、前記一対の挟持部材が、前記水平部材と前記支柱部材との組立て形態における前記支柱部材の内向きとなる面側に設けられているとよい。
【発明の効果】
【００１１】
この発明によると、挿入支柱部材が筒状支柱部材内にスライド自在に挿入されており、保持スライド溝部に移動自在に保持された一方側の挟持部材と、他方側の挟持部材とで、筒状支柱部材の一部と挿入支柱部材の一部とを挟込んで、それらの移動を規制するため、従来のように、ボルトのねじ込み量で高さ調整をする場合等と比べて、比較的大きな強度を保ちつつ高さ調整の範囲を広くすることができると共に、外観デザインもよくすることができる。
【００１２】
この場合に、前記一対の挟持部材が、前記挿入支柱部材の外周面の一部を、前記筒状支柱部材の内周面の一部に接触させるようにして挟持すると、それらの両部材を、がたつきを防止しつつ比較的強固に固定できる。
【００１３】
さらに、一対の挟持部材が、水平部材と支柱部材との組立て形態における支柱部材の内向きとなる面側に設けられていると、エアコン用置き台の外観をきれいに仕上げることができる。
【発明を実施するための最良の形態】
【００１４】
以下、この発明の実施形態に係るエアコン用置き台について説明する。
【００１５】
図１はエアコン用置き台の全体構成を示す斜視図であり、図２は同エアコン用置き台の支柱を示す分解斜視図である。このエアコン用置き台１０は、エアコン用の室外機を所定高さ位置に載置支持するための台である。図１は、比較的低い位置で室外機を載置支持する、いわゆる平置台とよばれるタイプのものを示している。
【００１６】
このエアコン用置き台１０は、水平部材２０と、この水平部材２０を所定の高さ位置に保持する支柱部材としての４本の支柱４０とを備えている。これら水平部材２０及び支柱４０の各構成部材は、例えば、アルミニウムやアルミニウム合金等の押出成形により形成される。
【００１７】
水平部材２０は、一対の水平フレーム２２と一対の縦フレーム２８とが略方形状に組合わされてなる。これら一対の水平フレーム２２及び一対の縦フレーム２８は、それぞれの端部で継手接合部材２９を介して略Ｌ字状に連結されている。
【００１８】
各継手接合部材２９は、平面視略Ｔ字状の継手部２９ａを有している（図２参照）。この継手部２９ａが後述する支柱４０の外側支柱４２に形成された継手受溝部４４内にスライド挿入された状態で、継手接合部材２９が外側支柱４２にボルト等で固定される。これにより、水平部材２０が、支柱４０の上端部等の所定位置に取付固定される。
【００１９】
また、一対の水平フレーム２２間に掛渡すようにして、一対のベースフレーム３０が掛渡されている。各ベースフレーム３０の両端部は、それぞれ水平フレーム２２にその長手方向に沿って移動自在に支持されると共に、その水平フレーム２２の長手方向における所定位置でねじ止等で固定される。
【００２０】
また、各ベースフレーム３０には室外機固定用のボルト等の固定具３１が設けられている。ここでは、各ベースフレーム３０の両端部近傍の位置に、固定具３１が設けられている。
【００２１】
そして、載置固定対象となる室外機のサイズに合わせて、一対のベースフレーム３０を各水平フレーム２２の長手方向に沿って移動させてそれらの間の間隔寸法を調整して一定位置で固定し、この状態で、室外機を一対のベースフレーム３０上に載置して、上記固定具３１を用いて室外機を固定する構成となっている。
【００２２】
各支柱４０は、筒状支柱部材としての外側支柱４２と、この外側支柱４２内にスライド自在に挿入される挿入支柱部材としての内側支柱５０と、これらのスライド移動を規制する一対の挟持部材としてのボルト５８及びナット５９とを備えている。
【００２３】
図３は、外側支柱４２内に内側支柱５０を挿入して、それらをボルト５８及びナット５９により挟持固定した部分の断面図である。
【００２４】
図１〜図３に示すように、外側支柱４２は、長手方向に沿って同一断面形状を有する略筒状部材であり、例えば、アルミニウム又はアルミニウム合金の押出成形により形成される。
【００２５】
より具体的には、外側支柱４２は、略方形筒断面形状に形成されている。この外側支柱４２のうち水平部材２０と支柱４０との組立て形態において外側となる部分は、外向きに膨出するように略弧状に湾曲する曲面部分４２ａに形成されている。
【００２６】
さらに、外側支柱４２のうち上記組立て形態において内向きとなる側面部分４２ｃ側、即ち、水平フレーム２２及び縦フレーム２８の延びる方向に指向するする二つの内向き側面部分４２ｃ側には、外側支柱４２の長手方向に沿って延びる継手受溝部４４が形成されている。各継手受溝部４４は、幅狭の開口部の奥側に幅広の収容凹部が広がる断面略Ｔ字状の内部空間を有している。そして、上記略Ｔ字状の継手部２９ａが、外側支柱４２の上端部から継手受溝部４４内に挿入されることで、外側支柱４２に対して一定姿勢で、かつ、継手受溝部４４の長手方向に沿って移動自在に保持されるようになっている。
【００２７】
また、外側支柱４２のうち上記組立て形態で内向きとなる面であって上記二つの内向き側面部分４２ｃの間の部分が、水平フレーム２２と縦フレーム２８との間を指向する斜め内向き面部分４２ｄに形成されている。この斜め内向き面部分４２ｄの下端部近傍に、ボルト挿通孔４２ｈが形成されている。
【００２８】
内側支柱５０は、上記外側支柱４２内にスライド挿入自在に挿入される部材である。ここでは、内側支柱５０は、長手方向に沿って同一断面形状を有する略筒状部材であり、例えば、アルミニウム又はアルミニウム合金の押出成形により形成される。
【００２９】
より具体的には、内側支柱５０は、上記外側支柱４２の内周面形状に対応する外周面形状を有する略方形筒断面形状に形成されている。そして、上記外側支柱４２の下端部内にスライド自在に挿入されるようになっている。
【００３０】
すなわち、内側支柱５０のうち上記組立て形態において外側となる部分は、外向きに膨出するように略弧状に湾曲する曲面部分５２ａに形成されており、上記曲面部分４２ａの内面に密接状に配設可能な形状に形成されている。
【００３１】
また、内側支柱５０のうち上記組立て形態において内向きとなる内向き側面部分５２ｃは、上記内向き側面部分４２ｃの内面（継手受溝部４４が形成された部分）に密接状に配設可能な形状に形成されている。
【００３２】
また、この内向き側面部分５２ｃの内面側に、断面略Ｃ字状のねじ止部５３が内側支柱５０の長手方向に沿って形成されている。そして、脚部６０を内側支柱５０の下端面に密接状に配設した状態で、ねじ６３を脚部６０のねじ挿通孔６２に挿通させてねじ止部５３の下端部に螺合させることで、本内側支柱５０の下端部に脚部６０が取付固定される。
【００３３】
さらに、内側支柱５０のうち上記組立て形態で内向きとなる面であって上記二つの内向き側面部分５２ｃの間の部分に、内側支柱５０の長手方向に沿って延びる保持スライド溝部５４に形成されている。
【００３４】
保持スライド溝部５４は、ナット５９を内側支柱５０の長手方向に沿って移動自在に支持するものであり、ナット収容部５４ａと逃げ凹部５４ｂとを有し、その外面側にねじ挿通溝５４ｃが形成されてなる。
【００３５】
ナット収容部５４ａは、ナット５９の側面視形状に対応する広がりを持つ溝形状に形成されており、ナット５９のねじ穴をねじ挿通溝５４ｃ内に指向させた姿勢でナット５９を内側支柱５０の長手方向に沿ってスライド自在かつ回り止状に保持する。
【００３６】
このナット収容部５４ａの外面側に、内側支柱５０の長手方向に沿って延びるねじ挿通溝５４ｃが形成されている。ねじ挿通溝５４ｃは、ボルト５８のねじ部５８ａを挿通可能な開口幅を持つスリット状に形成されており、内側支柱５０の外側から本ねじ挿通溝５４ｃを通ってボルト５８のねじ部５８ａがナット収容部５４ａ内に挿入され、そのナット収容部５４ａ内で該ねじ部５８ａがナット５９に螺合される構成となっている。
【００３７】
また、ナット収容部５４ａの奥側に、内側支柱５０の長手方向に沿って延びる逃げ凹部５４ｂが形成されている。逃げ凹部５４ｂは、ナット収容部５４ａよりも幅狭で、かつ、ボルト５８のねじ部５８ａの直径よりも大きな幅寸法に形成されている。この逃げ凹部５４ｂは、ボルト５８をナット５９を螺合させた際、ナット５９を貫通したボルト５８の先端部を逃すための空間として用いられる。
【００３８】
また、本保持スライド溝部５４の外面は、外側支柱４２の斜め内向き面部分４２ｄの内面に密接可能な斜め内向き面部分５２ｄに形成されている。
【００３９】
一対の挟持部材であるボルト５８及びナット５９は、支柱４０のうち前記組立て形態で、内向きとなる面側に設けられている。
【００４０】
すなわち、一方側の挟持部材であるナット５９は、上記ナット収容部５４ａ内にそのねじ穴の両端側開口をねじ挿通溝５４ｃ及び逃げ凹部５４ｂに指向させた姿勢で、内側支柱５０の長手方向に沿って移動自在かつ回り止状に配設されている。
【００４１】
また、他方側の挟持部材であるボルト５８は、外側支柱４２の下端部内に内側支柱５０を挿入した状態で、外側支柱４２の斜め内向き面部分４２ｄの下端部外面側から、ボルト挿通孔４２ｈ及びねじ挿通溝５４ｃを通ってナット５９に螺合締結されるようになっている。そして、ボルト５８とナット５９とが完全に螺合締結された状態で、ボルト５８の頭部５８ｂとナット５９とが、外側支柱４２の一部であるボルト挿通孔４２ｈの周縁部と内側支柱５０と一部であるねじ挿通溝５４ｃの両側縁部とを挟込んで、これらのスライド移動を規制するようになっている。
【００４２】
このように構成されたエアコン用置き台１０において、高さ調整は次のようにして行われる。
【００４３】
すなわち、水平部材２０と４本の支柱４０とが所定の台形状に組立てられた形態において、外側支柱４２の下端部内に内側支柱５０を挿入すると共に、ボルト５８のねじ部５８ａを、ボルト挿通孔４２ｈ及びねじ挿通溝５４ｃに通してナット収容部５４ａ内のナット５９に緩く螺合させておく。
【００４４】
そして、支柱４０が所望の高さ寸法（長さ寸法）となるように、内側支柱５０を外側支柱４２に対してスライド移動させる。この際、内側支柱５０の長さ寸法分の範囲内で、調整が可能となっている。そして、所定位置にスライド移動させた状態で、ボルト５８をナット５９に螺合締結させて、ボルト５８の頭部５８ｂとナット５９とで、外側支柱４２のうちのボルト挿通孔４２ｈの周縁部と内側支柱５０のうちのねじ挿通溝５４ｃの両側縁部とを挟込んで、これらのスライド移動を規制し、前記内側支柱５０の突出長を所定長に固定する。
【００４５】
この際、内側支柱５０の外周面が外側支柱４２の内周面に対応する形状に形成され、特に、それぞれ挟持される部分近傍である内側支柱５０の斜め内向き面部分５２ｄの外周面が、外側支柱４２の斜め内向き面部分４２ｄの内面に対応する形状に形成されているため、それらの内外周面が密着する態様となる。
【００４６】
これを各支柱４０に対して行うと、高さ調整が完了する。
【００４７】
以上のように構成されたエアコン用置き台１０によると、内側支柱５０が外側支柱４２にスライド自在に挿入されており、保持スライド溝部５４内に移動自在に保持されたナット５９と、ボルト５８とで、これら内側支柱５０の一部と外側支柱４２の一部とを挟込んで、それらの移動を規制し、もって高さ調整を行うため、従来のように、ボルトのねじ込み量で高さ調整を行う場合等と比べて、比較的大きな強度を保ちつつ高さ調整の範囲を広くすることができる。
【００４８】
また、外側支柱４２の下方に、およそ板厚分程度だけ細い内側支柱５０が延出する構成であるため、ボルトのねじ部分が露出する従来技術と比べて、外観デザインも良好である。
【００４９】
さらに、内側支柱５０の外周面が外側支柱４２の内周面に対応する形状に形成されているため、内側支柱５０と外側支柱４２との間でのがたつき、組立て形態での揺れ等が防止される。
【００５０】
特に、それぞれ挟持される部分近傍である内側支柱５０の斜め内向き面部分５２ｄの外周面が、外側支柱４２の斜め内向き面部分４２ｄの内面に対応する形状に形成されているため、ボルト５８とナット５９とを螺合締結した状態で、内側支柱５０の斜め内向き面部分５２ｄの外周面を外側支柱４２の斜め内向き面部分４２ｄの内面に密着させるように押付ける態様となる。このため、内側支柱５０と外側支柱４２とを、よりがたつきを防止しつつより強固に固定できる。
【００５１】
この際、ナット５９及びボルト５８が、外側支柱４２の一部と内側支柱５０の一部とを挟込む構成であるため、それらを強く締結固定した場合であっても、外側支柱４２や内側支柱５０が変形し難いという利点もある。
【００５２】
しかも、ボルト５８及びナット５９が、水平部材２０と支柱４０との組立て形態において、支柱４０の内向きとなる面側で、締結固定されている。このため、当該組立て形態において、ボルト５８及びナット５９が外側から視認し難い位置に配設され、例えば、支柱４０の外向き面を面一状に仕上げることができ、エアコン用置き台１０の外観をきれいに仕上げることができる。
【００５３】
なお、上記実施形態では、上側の外側支柱４２に下側の内側支柱５０を挿入する構成としたが、上側の部材が下側の筒状部材に挿入される構成であってもよい。
【００５４】
また、上記実施形態では、内側支柱５０側に、ナット５９を前記スライド移動方向に沿って移動自在に支持する保持スライド溝部５４を形成しているが、外側支柱４２側にボルト５８をその長手方向に沿って移動自在に支持する保持スライド溝部を形成してもよい。要するに、外側支柱４２及び内側支柱５０の一方側に、一対の挟持部材であるボルト５８又はナット５９の一方を、スライド移動方向に沿って移動自在に保持する保持スライド溝部を形成すればよい。
【００５５】
また、本実施形態では、比較的低い位置で室外機を載置支持する、いわゆる平置台とよばれるタイプに適用した例について説明したが、その他、種々のエアコン置き台に適用できる。例えば、より高い位置で室外機を載置支持する、いわゆる高置台と呼ばれるタイプや、また、図４に示すエアコン用置き台１１０のように、上記水平部材２０を上下２段に備え、それぞれの水平部材２０に室外機を載置支持する、いわゆる２段置台と呼ばれるタイプのものについても、適用できる。
【図面の簡単な説明】
【００５６】
【図１】実施形態に係るエアコン用置き台の全体構成を示す斜視図である。
【図２】同上のエアコン用置き台の支柱を示す分解斜視図である。
【図３】同上のエアコン用置き台の高さ調整に係る構成部分を示す断面図である。
【図４】変形例に係る２段置台タイプのエアコン用置き台を示す斜視図である。
【符号の説明】
【００５７】
１０  エアコン用置き台
２０  水平部材
４０  支柱
４２  外側支柱
４２ｄ  斜め内向き面部分
４２ｈ  ボルト挿通孔
５０  内側支柱
５２ｄ  斜め内向き面部分
５４  保持スライド溝部
５４ａ  ナット収容部
５４ｃ  挿通溝
５８  ボルト
５９  ナット
【図１】
2005299963.tif 000003
【図２】
2005299963.tif 000004
【図３】
2005299963.tif 000005
【図４】
2005299963.tif 000006